(57)【要約】      （修正有）【課題】クリーンボックスを提供する。【解決手段】エアコンと寝具とを一纏めとしたクリーンボックスＡは、自動開閉式でベツト台が縦姿勢となればボックスを閉じるドア板の役割を果たす構造であります。ベツト台にはエアーマット２を嵌め込み、その上には敷タオルケット３が載り、更に、その上には掛タオルケット４も重なる仕掛けであります。重い綿布団ではなく薄布のタオルケットは軽くズレ落ち易く、それを防止する仕掛けとして、２枚のタオルケットの裾をハンガーパイプ５のクリップで止め押さえる工夫もしています。横姿勢のベツトが縦姿勢のドア１へ戻り、ボックスを密閉すれば、それに嵌め殺しのエアーマットも縦姿勢となりズレ落ちもできません。横姿勢で載る２枚のタオルケットも共に縦姿勢となりますが、縦姿勢となれどもハンガーパイプのクリップに留められた２枚のタオルケットは、今度は、宙ぶらりんに吊り架かる格好となり、落ちもズレもできない仕掛けなのであります。【選択図】図３
0003211837.tif 000002
【実用新案登録請求の範囲】
【請求項１】
ドア板を前面に傾倒自在に取り付けたクリーンボックスであって、スチーム噴射を内蔵したクリーンボックス。
【請求項２】
請求項１に記載したクリーンボックスであって、冷風噴射を内蔵したクリーンボックス。
【請求項３】
請求項１叉は２に記載したクリーンボックスであって、温風噴射を内蔵したクリーンボックス。
【請求項４】
請求項１叉は２と３に記載したクリーンボックスであって、紫外線照射を内蔵したクリーンボックス。
【考案の詳細な説明】
【技術分野】
【０００１】  本考案は、寝具の洗浄に関する。
【背景技術】
【０００２】綿は弾力と保温に優れ、この特性を活かして布袋へ綿を詰め、寝具として従来から使用しています。処が、弾力で膨れる綿を詰める布団は、その弾力で嵩高く、分厚く、持運びには不向きな寝具となっています。空気と繊維とが絡まり保温力を高める綿は、水に濡れれば、今度は、空気を追出し、繊維と水とが絡み、保温力は低下し、絡んだ水は容易くは追い出せず、乾燥した綿へとは戻り難い欠点もあります。この欠点がある故に、布団は水を嫌い、水洗いのできない寝具であります。敢えてするとなれば、閉じた布袋の糸を解し、中の綿を一旦は取り出し、その綿を細かく解き、水で洗浄し、解した状態で乾かします。水気も湿気も抜けた乾燥したふんわり綿に戻れば、別洗いした布袋へと万遍なく平たく詰め並べて、糸で布袋を再び縫い込みます。こんなにも手間暇の入る面倒な仕事である、布団の洗濯は、昔は家庭で行われておりましたが、最近では、布団打ち直し業者に依頼して、清潔な再生布団へと甦ります。しかし、それは日々依頼する事ではなく、汚れも積り、硬くなった綿を解す目的で、数年に一度の割合であり、依頼も減少気味であります。依頼せず、布団丸洗い機でも洗濯は出来ますが、布団が入る大型洗濯機は一般家庭には無く、その機械のあるコインランドリー店まで布団を運ぶ必要があります。となれば、大変な世話も労力も体力も要る大仕事も待っているのです。寝室から運ぶには、先ずは、膝腰を曲げ、俯き姿勢で、掛布団を、抱き抱え易い形に折り曲げ、大きく両手を広げ、四股に力を込め、持ち上げて部屋を出ます。掛布団を抱えれば足元は見難く、覚束ない足取りで廊下も渡り、玄関或いは勝手口から降り、外にある車へとぼちぼちと運びます。この作業は１回で終わりではなく、再び、寝室へ戻り、次は、掛布団より重い敷布団を折りたたみ、抱き抱えて、覚束ない足取りで部屋を出ます。勿論、足腰膝にも力も入り、背筋も反り返して敷布団を抱え歩くには、バランスも体力も要る大変な重労働なのであります。足元も見えず上を向いて布団を抱えて歩き万一躓けば、大怪我となる危険な作業となるのです。どうなりこうなりで車へ二枚の布団を積み込みコインランドリー店へ着けば、再び、布団を抱えて洗濯機の投入口へと入れます。二枚の布団が洗濯と乾燥とをし終えれば、また、抱えて車へと運び、家に着けば、敷布団を抱えて入口から廊下を渡り、寝室へと着きます。先ずは、敷布団を降ろし、再び車へと戻り、掛布団も抱えて家へ入り廊下も渡り寝室へと運ぶ。これで作業は終わりではなく、再び、足腰も曲げ、膝も折り、俯いて、両手で抱えた敷布団を敷マットの上へ載せます。山谷の敷布団の波も皺も整えて平たくした敷布団の上へは、洗い晒しのシーツをピンと張ります。次には、洗いたての布団カバーを掛布団の四隅に合わせズレない様に整えて被せ、最後に、カバーを被せた掛布団をシーツの上に整えて重ねてこそ、一連の布団の洗濯と布団敷きの作業は、やっと終わりとなるのです。
【考案の開示】
【考案が解決しようとする課題】
【０００３】しかし、これ程までに、世話も労力も筋力も体力も要る、布団の洗濯と布団敷は、誰もが嫌う重労働であります。この重労働を解消する事を課題とし、更に、寝室に置きながら、寝具を自動洗浄する事も課題とします。
【課題を解決するための手段】
【０００４】そこで、ベツト＆ドアのクリーンボックスには、冷風ルーバーが上端に設け、下端には温風ルーバーを設けたエアコン装備の仕掛けであります。縦姿勢のドア板が上から前へ開けば横姿勢のベツト台となり、そのベツト台にはエアーマットを嵌め込み、その上には敷タオルケットを載せ、更に、その上には掛タオルケットを重ねます。２枚のタオルケットの裾をハンガーパイプのクリップで押さえ留めズレ落ちない工夫もしています。横姿勢のベツト台には、横姿勢のエアーマット、横姿勢の敷タオルケット、横姿勢の掛タオルケットが密に重なり、風も通り難く、温みも逃がさず、温みが中に籠り、温かさを保つ仕掛けであります。次に、ベツト台が起きれば縦姿勢のドア板となり、エアーマットも縦姿勢となりますが、嵌め殺しでズレも落ちもできません。共に、敷タオルケットも縦姿勢となり、掛タオルケットも縦姿勢となりますが、ハンガーパイプのクリップに吊り架かる格好でズレも落ちもできません。縦列に並ぶ、エアーマット、敷タオルケット、掛タオルケットの３枚は隙間なく密に接しています。が、縦姿勢になれば、２枚のタオルケットの荷重でハンガーパイプの腕が下がり隙間が広がり、風も通る仕掛けであります。エアーマット、敷タオルケット、掛タオルケットが縦列に並び、風も流れる隙間を仕掛けたクリーンボックス内へ高圧スチーム噴射、冷風噴射、温風噴射、紫外線照射をする仕掛けをします。
【考案の効果】
【０００５】よって、密閉のクリーンボックス内では、エアーマット、敷タオルケット、掛タオルケットが隙間を開けて縦列に並び、そこへ、高温高圧蒸気であるスチーム噴射をすれば、塵、埃、花粉、蚤、ダニも蹴散らし、滲みも洗い流します。次に、冷風噴射で冷凍乾燥もし、続いて、温風噴射で水分を蒸発させ、湿気も除去し、乾燥すれば紫外線照射で殺菌します。この４工程で洗い晒しの無菌清潔寝具へと甦ります。寝起きする度に、ドアが自動開閉し、自動洗浄するクリーンボックス・洗浄の効果で、常に就眠時には清潔寝具で心地良く眠れますし、洗濯する重労働からも解放されます。開ければベツトが現れ寝室となり、閉じればベツトは消えリビングへと早変わりする利便性で、布団敷からも布団収納からも解放されます。勿論、押入れも要らず、抱えて運ぶ重労働からも解放されます。尚、綿の特性である保温と弾力とを求め、それを布袋へ詰めた布団を寝具とする固定概念から脱却し、保温はエアコンが担う事で適温も快適空調も維持できます。特に、下端温風ルーバーから吹出す温かみは、部屋を暖めると同時に、直接、ベツト台へと伝わります。その温かみはエアーマットも温め、敷タオルケットへと掛タオルケットへも熱伝導します。ですから薄布タオルケットの寝具でも保温は充分に維持できるのです。寧ろ、薄布ほど熱伝導には優れ、乾燥も素早いのです。そして、体重を支え、背筋、腰の負担を軽減するには、自動調整のエアーマットが担い、心地よい弾力を求めた分厚い綿敷布団の代替えとして、薄布のタオルケットの寝具でも充分に役目を果たしますし、寝る方の体重、体形、寝姿勢に見合う空圧も瞬時に対応でき、心地よい弾力も微調整も出来る効果もあります。
【考案を実施するための最良の形態】
【０００６】本考案に係るクリーンボックス・洗浄は、上端に冷風ルーバー、下端に温風ルーバーを仕掛けたドア＆ベツトの形態のボックスです。ベツト台にはエアーマットを嵌め、その上には、敷タオルケットを載せ、更に、上には、掛タオルケットが重なる形態であります。２枚のタオルケットのズレ落ちない工夫として、裾を押さえるハンガーパイプのクリップで留めます。横姿勢のベツト台から起き、縦姿勢のドアに戻れば、ハンガーパイプのクリップに２枚のタオルケットが吊り架かる形態となり、自重でハンガーパイプの腕も下がり、エアーマット、敷タオルケット、掛タオルケットの隙間も広がり、そこへ、スチーム噴射、冷風噴射、温風噴射、紫外線照射となる仕掛けです。
【図面の簡単な説明】
【０００７】
【図１】本考案に係るクリーンボックス・洗浄のドア板が開き、ベツト台となった斜視図です。横姿勢のベツト台の上にはエアーマットが嵌り、その上には敷タオルケットが載り、更に、その上には掛タオルケットが重なる斜視図です。
【図２】本考案に係るクリーンボックス・洗浄の断面図であります。ドア板が横に倒れベツト台となった図で、ベツト台にはエアーマットが嵌り、その上に敷タオルケットが載り、更に、掛タオルケットが重なる断面図です。
【図３】ベツトからドアに戻り、略、縦姿勢で閉じた断面図です。エアーマット、敷タオルケット、掛タオルケットが間隔を開け縦列に吊り架かった断面図です。
【符号の説明】
【０００８】        Ａ      クリーンボックス
１      ドア＆ベツト
２      エアーマット
３      敷タオルケット
４      掛タオルケット
５      ハンガーパイプ
６      冷風ルーバー
７      温風ルーバー
【図１】
0003211837.tif 000003
【図２】
0003211837.tif 000004
【図３】
0003211837.tif 000005
【手続補正書】
【提出日】平成29年5月23日(2017.5.23)
【手続補正１】
【補正対象書類名】実用新案登録請求の範囲
【補正対象項目名】請求項４
【補正方法】変更
【補正の内容】
【請求項４】
請求項１〜３のいずれかに記載したクリーンボックスであって、紫外線照射を内蔵したクリーンボックス。